【事件の表示】
　平成　５年特許願第１９９３４０号「電気掃除機」拒絶査定不服審判事件〔平成　７年　２月２８日出願公開、特開平　７−　５１２０３号〕について、次のとおり審決する。
【結　論】
　本件審判の請求は、成り立たない。
【理　由】
Ｉ．手続の経緯・本願発明
　本願は、平成５年８月１１日の特許出願（特願平５−１９９３４０号）であって、その請求項１に係る発明（以下、「本願発明」という。）は、平成１４年６月３日付けの手続補正書により補正された明細書の記載および出願当初の図面の記載からみて、その特許請求の範囲の請求項１に記載された次のとおりのものである。
　
　「空気流路に設けた発光素子と受光素子とによりその間を通過する塵埃を検知するゴミセンサを構成し、前記センサの出力をパルス信号に変換するパルス変換手段を有し、前記パルス変換手段からのパルス出力をマイクロコンピュータに入力し、前記パルスの立ち上がり及び立ち下がりエッジを検出し、前記エッジを検出したら所定ビットのクロックを発振させ、前記クロックに同期してパルス情報を取り込みパルス幅を検出するとともに、単位時間中に検出する複数のパルスのうち最大のパルス幅を用いてこれをゴミ検出数に補正して電動送風機を制御してなる電気掃除機。」
　
II．引用例の記載事項
　これに対して、原査定の拒絶の理由で引用した、特開平２−２９７３２９号公報（以下「引用例」という）には、次の事項が図面とともに記載されている。
　
（１）「第１図（ａ）は、塵埃検出センサを構成する発光素子と受光素子の取付構成を示す吸気通路の断面図である。第１図（ａ）において、塵埃１１が通過する吸気通路１２の一部に発光素子１３と受光素子１４が対向して取付られている。」（公報第３頁右下欄第１２〜１６行参照）
（２）「まず、発光素子１３およびフォトトランジスタ１４の間を塵埃１１が通過すると、光軸が塵埃１１によって遮られるためフォトトランジスタ１４でのベース電流が低下し、コレクタ電圧が上昇する。・・・（中略）・・・塵埃による光量変化をアナログ信号として検出する。この検出されたアナログ信号が基準電圧Ｅ１より低くなると、比較器２１出力はＨ信号となり、このように、アナログ信号の光量変化をディジタル信号に変換し、塵埃量に対応したディジタル信号としてのパルス出力が発生する。また、このパルス出力波形は、細塵にあっては、・・・（中略）・・・光軸を通過する時間が短かく、第１図（ｃ）のＡに示すようにパルス幅は短かくなり、逆に、紙くずといった大きな塵埃に対しては第１図（ｃ）のＢに示すようにパルス幅は大きくなるという相関がある。」（同第４頁右上欄第１〜１８行参照）
（３）「上記塵埃検出手段２３を用いた本発明の電力制御装置のブロック図を第２図に示す。第２図において、塵埃検出手段２３から発生するパルス信号は、制御手段としてのマイクロプロセッサ２４に入力されて処理された後、塵埃量に対応して、双方向性サイリスタ２５へのゲート信号を制御し、電動送風機２６への供給電力が位相制御される構成を有している。」（同第４頁右上欄第１９行〜左下欄第６行参照）
（４）「第５図は、本発明の第３の実施例を示し、マイクロプロセッサ２４の処理として、パルスの数とともに塵埃の大きさにより塵埃検出手段２３から発生するパルス信号の幅の大小を検出することにより電動送風機２６への電力の設定値を可変して制御するものである。
　すなわち、所定時間Ｔ内に発生する検出パルス数にパルス幅情報により一定の補正を加えて、たとえば、検出パルス数ｎにパルス幅補正係数ｋを乗じたｎ×ｋのパルス数として検出し、電動送風機２６への電力を設定するものである。たとえば、大きな塵埃を１個吸込んで大きなパルス幅を検出したとき検出パルス数にパルス幅の情報で一定の補正がかかるため、数個カウントしたパルス数に設定され、このとき、吸込力は大幅に上昇して大きな塵埃に対して強い吸込力を確保することができる。」（同第４頁右下欄第１３行〜第５頁左上欄第９行参照）
（５）「さらに、第３の発明によれば、掃除面の塵埃分布量が全体的に少なく、まばらに大きな塵埃が分布しているような状態であっても、たとえば、大きな塵埃１個吸込んでも吸込力が大幅に増加し、強力で確実な掃除ができるものである。」（同第５頁左下欄第１８行〜右下欄第２行参照）
（６）第１図（ａ）には、電気掃除機の電力制御装置における塵埃検出センサの構成を示す吸気通路１２の断面図が、第１図（ｂ）には、同電力制御装置の塵埃検出手段２３の回路図が、第１図（ｃ）には、同電力制御装置の塵埃検出手段２３のパルス信号出力を示す図が、第２図には、同電力制御装置のブロック図が、そして、第５図には、第３の実施例を示す電気掃除機の電力制御装置におけるマイクロプロセッサ２４の信号処理を説明する図が、それぞれ示されている。
　
　上記引用例の記載事項（１）および記載事項（２）の冒頭には、吸気通路１２に対向して取付られた発光素子１３と受光素子１４とによりその間を通過する塵埃１１を検出する塵埃検出センサを構成することが記載され、その構成が第１図（ａ）に示されている。また、上記記載事項（２）、（３）には、塵埃検出センサで検出されたアナログ信号をパルス信号に変換する比較器２１を有し、前記比較器２１からのパルス出力をマイクロプロセッサ２４に入力することが記載され、その構成が第１図（ｂ）および第２図に示されている。そして、上記記載事項（２）の後段には、比較器２１からのパルス出力波形が、塵埃１１が塵埃検出センサを通過する時間に応じて、「細塵にあっては短かく、大きな塵埃に対しては大きなパルス幅」であることが記載され、そのパルス信号出力が第１図（ｃ）に示されている。更に、上記記載事項（４）には、マイクロプロセッサ２４の処理として、パルスの数ｎとともに、塵埃検出手段２３から発生する塵埃の大きさに応じたパルス信号の幅の大小すなわちパルス幅情報を取り込み、たとえば、大きな塵埃を１個吸込んで大きなパルス幅を検出したときそのパルス幅情報により、所定時間Ｔ内に発生する検出パルス数ｎに一定の補正、たとえば、パルス幅補正係数ｋを乗じてパルス数をｎ×ｋとする補正を加えて、電動送風機２６への電力を設定することが記載されている。
　
　以上のことから、引用例には、本願発明の記載ぶりに則って整理すると、次の発明（以下、「引用発明」という。）が記載されているといえる。
「吸気通路１２に対向して取付られた発光素子１３と受光素子１４とによりその間を通過する塵埃１１を検出する塵埃検出センサを構成し、前記塵埃検出センサのアナログ信号をパルス出力波形に変換する比較器２１を有し、前記比較器２１からのパルス信号をマイクロプロセッサ２４に入力し、パルス幅を検出するとともに、所定時間Ｔ内に大きなパルス幅のパルスを検出したとき、所定時間Ｔ内に発生する検出パルス数ｎに一定の補正、たとえば、パルス幅補正係数ｋを乗じて全体のパルス数をｎ×ｋとする補正を加えて、電動送風機２６を制御してなる電気掃除機。」
　
III．対比
　そこで、本願発明と引用発明とを対比すると、各文言の意味、機能または作用等からみて、上記引用発明における「吸気通路１に対向して取付られた」は、本願発明の「空気流路に設けた」に、以下順に、「発光素子１３」は「発光素子」に、「受光素子１４」は「受光素子」に、「塵埃１１」は「塵埃」に、「検出」は「検知」に、「塵埃検出センサ」は「ゴミセンサ」に、「塵埃検出センサで検出されたアナログ信号」は「センサの出力」に、「パルス信号」は「パルス信号」、「パルス出力」および「パルス」に、「比較器２１」は「パルス変換手段」に、「マイクロプロセッサ２４」は「マイクロコンピュータ」に、「検出パルス数」は「ゴミ検出数」に、「電動送風機２６」は「電動送風機」に、それぞれ相当するから、両者は、本願発明の用語を用いて表現すると、次の点で一致する。
　
（一致点）
　「空気流路に設けた発光素子と受光素子とによりその間を通過する塵埃を検知するゴミセンサを構成し、前記センサの出力をパルス信号に変換するパルス変換手段を有し、前記パルス変換手段からのパルス出力をマイクロコンピュータに入力し、パルス幅を検出するとともに、単位時間中に検出する複数パルスのうち大きなパルス幅を用いてゴミ検出数を補正して電動送風機を制御してなる電気掃除機。」
　
　そして、両者は、次の相違点で相違する（対応する引用例記載の用語を（　）内に示す）。
相違点ａ．
　本願発明では、パルス幅の検出を、パルスの立ち上がり及び立ち下がりエッジを検出し、前記エッジを検出したら所定ビットのクロックを発振させ、前記クロックに同期してパルス情報を取り込むことにより行っているのに対して、引用発明では、具体的なパルス幅の検出手段が明らかでない点。
　
相違点ｂ．
　大きなパルス幅によるゴミ検出数の補正について、本願発明では、単位時間中に検出する複数のパルスのうち最大のパルス幅を用いてゴミ検出数を補正しているのに対し、引用発明では、補正に用いる大きなパルス幅の具体的な選択手法について明かでない点。
　
IV．判断
　上記相違点について検討する。
相違点ａ．について
　パルス信号のアナログ量であるパルス幅を、該パルス信号の立ち上がりから立ち下がりまでの期間に発信された高周波パルスのパルス数に置き換えてデジタル化することは、いわゆるパルス数変調（ＰＮＭ）として周知のＡ／Ｄ変換技術であるので、引用発明において、マイクロプロセッサで、パルス信号の幅の大小を検出する具体的な手段として、これを採用することは、当業者が適宜なし得た事項であり、また、マイクロプロセッサはクロックとともに使用するものであるから、高周波パルスの供給源としてクロックを利用して、入力パルスの幅、すなわち入力パルスの立ち上がりから立ち下がりまでの幅を、これに対応したクロックパルスの数に変換するようにしてデジタル化し、相違点に係る本願発明の構成のようにすることは、当業者が容易に想到し得たことである。
　
相違点ｂ．について
　所定時間Ｔ内に発生する塵埃検出パルスより、補正に用いるべき大きな塵埃に係るパルスを選択する具体的な手法として、所定時間Ｔでの塵埃検出パルス中、パルス幅の最大のものを選択して、これにより補正を行うようにすることは、当業者が適宜なし得た設計的事項にすぎない。
　
Ｖ．むすび
　したがって、本願の請求項１に係る発明は、引用発明及び周知技術に基づいて、当業者が容易に発明をすることができたものであるので、特許法第２９条第２項の規定により、特許を受けることができない。
　よって、結論のとおり審決する。